(57)【特許請求の範囲】
【請求項１】
連結軸を介して一対の刃片を相対回転可能に連結するとともに、一方の刃片の外面側における前記連結軸周りに操作部材を設け、当該操作部材を所定操作して刃片の基部側に係脱させることで、前記刃片の相対回転と、回転規制とを選択的に可能とするはさみにおいて、
前記操作部材はヘッドを有する連結軸が挿入されるベースと、このベースに支持されるとともに刃片の延びる方向に沿って移動可能に設けられて刃片の基部側に係脱可能なスライド部材とからなり、
前記ベースは、その外側面が前記ヘッド外側端面に略一致する厚みに設けられ、ベースの面内に前記ヘッドを受容する凹部を設けることで、ヘッド外側端面とベースの外側面とを略一致させてあり、
前記ベースとスライド部材との間には、一対の刃片が相対回転可能な状態にあるか、回転規制されている状態にあるかを示す表示手段が設けられていることを特徴とするはさみ。
【請求項２】
前記表示手段は、ベース又はスライド部材に形成された窓穴を含み、この窓穴を通じて色若しくは記号、又は突軸が表出することを特徴とする請求項１記載のはさみ。
【発明の詳細な説明】
【０００１】
【発明の属する技術分野】
本発明は、はさみに係り、更に詳しくは、はさみを構成する一対の刃片の相対回転を必要に応じて規制することができる操作部材を備えたはさみに関する。
【０００２】
【従来の技術】
特開平８−２５２３８２号公報には、はさみを構成する一対の刃片の相対回転を規制可能とする一方、当該規制状態を解除して通常の相対回転を可能とし、更には、操作部材内に組み込んだばね部材によって、刃片の開き操作をより軽く行う弾力を付与可能なはさみが開示されている。
【０００３】
前記操作部材は長楕円形状の板状をなし、この操作部材と一対の刃片とを貫通するように連結軸が設けられ、当該連結軸のヘッド外側端面が操作部材内に位置するように設けられている。また、操作部材には、キャップが嵌め込まれる構成とされ、当該キャップによって操作部材全体がカバー可能に設けられている。このはさみは、操作部材を刃片の基部側に移動させることで、当該操作部材が各刃片の基部間を跨ぐように引っ掛かって、つまり係合することで、刃片の相対回転を規制する一方、一方の刃片との引っ掛けを解除することで刃片の相対回転が可能となり、更には、何れの刃片にも引っ掛からない位置に操作部材を位置させることで、当該操作部材内に配置されたばねによって、刃片が開放する方向に弾力を付与する構成となっている。
【０００４】
【発明が解決しようとする課題】
しかしながら、前記特開平８−２５２３８２号公報に開示されたはさみにあっては、操作部材が連結軸を横切る方向に移動する構成であるため、操作部材が脱落することなく移動できるようにするためのガイド溝を設けなければならない。そのため、操作部材の外側面位置が連結軸のヘッド外側端面よりも高い位置となってしまい、その分操作部材全体の厚みが増し、はさみ全体を見たときに、連結軸回りを厚くしてしまうという不都合を招来する。しかも、前記ガイド溝をカバーするためのキャップも必要な部品となる。
【０００５】
また、操作部材全体が刃片に沿って移動する構造であるため、操作面積も大きなものとなり、回転規制状態としていても、子供のいたずらによって、容易にこれを解除してしまうという不都合もある。
【０００６】
【発明の目的】
本発明は、このような不都合に着目して案出されたものであり、その目的は、操作部材をできるだけ薄く設けることができるとともに、操作面積を限定的なものとして回転規制状態が不用意に解除されてしまう虞の少ないはさみを提供することにある。
【０００７】
【課題を解決しようとする手段】
前記目的を達成するため、本発明は、連結軸を介して一対の刃片を相対回転可能に連結するとともに、一方の刃片の外面側における前記連結軸周りに操作部材を設け、当該操作部材を所定操作して刃片の基部側に係脱させることで、前記刃片の相対回転と、回転規制とを選択的に可能とするはさみにおいて、
前記操作部材はヘッドを有する連結軸が挿入されるベースと、このベースに支持されるとともに刃片の延びる方向に沿って移動可能に設けられて刃片の基部側に係脱可能なスライド部材とからなり、
前記ベースは、その外側面が前記ヘッド外側端面に略一致する厚みに設けられ、ベースの面内に前記ヘッドを受容する凹部を設けることで、ヘッド外側端面とベースの外側面とを略一致させてあり、
前記ベースとスライド部材との間には、一対の刃片が相対回転可能な状態にあるか、回転規制されている状態にあるかを示す表示手段が設けられる、という構成を採っている。このような構成とすれば、ベースを連結軸に対して横方向に移動させる必要がなくなるため、当該移動のためのガイド溝をベースに設ける必要がなく、従って、これをカバーするキャップの必要性を無くすことが可能となる。しかも、操作部位が操作部材全体でなく、前記スライド部材に限定されるため、操作部材全体の平面積を従来タイプと同一としたときに、操作面積が相対的に小さくなることとなり、これによって回転規制状態を安定して保つことを期待できる。また、はさみの使用可否を目視にて容易に認識することができる。また、操作部材の厚みを従来タイプよりも小さくして当該操作部材を薄型化できることとなり、操作部材の不用意なる移動も防止し易くなる。
【００１０】
前記表示手段は、ベース又はスライド部材に形成された窓穴を含み、この窓穴を通じて色若しくは記号、又は突軸が表出する、という構成も採用される。これにより、使用者は、窓穴を通じた色や文字等によって使用可否を認識できる。
【００１１】
【実施例】
以下、本発明の実施例を図面を参照しながら説明する。
【００１２】
[第１実施例]
図１には、第１の実施例に係るはさみの概略正面図が示され、図２には、その要部拡大正面図が示されている。これらの図において、はさみ１０は、第１の刃片１１及び第２の刃片１２と、これら各刃片１１,１２の基部側（図中右側）に装着された閉ループ型の柄部１３,１４と、前記第１の刃片１１の外面側に位置するとともに、各刃片１１,１２を貫通する連結軸１５を介して装着された操作部材１７とを備えて構成されている。
【００１３】
前記柄部１３,１４は合成樹脂材料により形成され、その前端すなわち図中左端側に第１及び第２の刃片１１,１２の基部領域をそれぞれ差し込んでこれに固定されている。各柄部１３,１４の前部内側領域には、面位置が若干落ち込んだ凹部２０,２１がそれぞれ形成されているとともに、これら凹部２０,２１の面内に左右方向に延びる突条２０Ａ,２１Ａが形成されている。ここで、柄部１３側の突条２０Ａは、柄部１４側の突条２１Ａよりも左右方向に若干長く形成されている。
【００１４】
前記操作部材１７は全体が合成樹脂材料による成形品であり、図３ないし図１３に示されるように、第１の刃片１１の外面側に位置して連結軸１５に回転可能に支持されるベース２５と、このベース２５に対して相対移動可能なスライド部材２６と、前記ベース２５と第１の刃片１１との間に装着される金属製のばね部材２７（図２参照）とを備えて構成されている。
【００１５】
ベース２５は、刃片１１の長手方向に沿って延びるとともに一端側が円弧状部３０として形成された平面視略板状の外形に設けられている。このベース２５において、円弧状部３０の内側領域に凹部２９が形成され、当該凹部２９内に連結軸１５を挿入するための貫通穴３１が形成されている。この一方、円弧状部３０の反対側には左右方向に沿うスロット穴３２が形成され、当該スロット穴３２に沿うベース２５の上面には、前記スライド部材２６の位置を三段階で示す表示手段としての凸部３４が形成されている。ここで、凸部３４は、最も右側に位置するものが回転規制位置を示し、中間に位置するものが通常のはさみ使用位置を示し、更に、最も左側に位置するものがばね部材２７によってはさみ１０が開く方向にばね力を付与された位置を示すようになっている。この際、凸部３４を適宜色分けしたり、凸部３４に沿って適当な印刷を付することで位置を容易に識別できるようにすることもできる。
【００１６】
また、ベース２５の下面側は、図７に示されるように、凹溝状の通路３５が形成され、当該通路３５内にスライド部材２６を移動可能に収容できるようになっている。ここで、通路３５を構成する相対側壁面にはレール３５Ａが形成され、スライド部材２６のスムースなる移動を許容するようになっている。また、図５に示されるように、通路３５よりも上方位置におけるベース２５の下面には、前記ばね部材２７の一端側領域を受容する長溝３８が形成されている一方、当該長溝３８の反対側には、ばね部材２７の他端側との位置的干渉を回避する切欠部３９が形成されている。
【００１７】
前記スライド部材２６は、図８ないし図１２に示されるように、ベース２５に設けられた通路３５内に位置するスライド板４０と、このスライド板４０の一端側に設けられるとともに平面視略半円弧状の指当て部４１とを備えて構成されている。スライド板４０は、その短寸幅方向両側に突条部４０Ａを備え、この突条部４０Ａが通路３５のレール３５Ａに乗った状態で通路３５内に挿入されるようになっている（図１３参照）。スライド板４０の上面側における中央部には、前記凸部３４とともに表示手段を構成する突軸４２が一体に設けられ、この突軸４２はベース２５のスロット穴３２を貫通してベース２５の上面より突出することで、スライド部材２６の抜け止めも図られるようになっている。
【００１８】
前記指当て部４１の円弧状側面部分から下面側には、前述した柄部１３,１４に形成された突条２０Ａ、２１Ａを受け入れ可能な二つの切欠溝４５,４６がそれぞれ形成されている。切欠溝４５の溝長さは他方の切欠溝４６よりも長く設けられている。また、指当て部４１の下面及びスライド板４０の図９中右側領域は、段部４７を介して面位置がスライド板４０の下面よりも若干上方位置に設けられており、これにより、スライド部材２６が、柄部１３,１４の凹部２０,２１の面に干渉することなく移動できるようになっている。なお、指当て部４１の下面とスライド板４０の一部に跨る部分には、前記刃片１１,１２の基部間に位置する垂下突片４９が形成されている。
【００１９】
前記ばね部材２７は、図１４に示されるように、コイル部２７Ａと、このコイル部２７Ａから延びてベース２５の下面側に設けられた長溝３８内に受容される可動側ばね部２７Ｂと、第２の刃片１２の基部寄りに形成された穴５０（図２参照）に先端部が受容される固定側ばね部２７Ｃとにより構成されている。
【００２０】
前記連結軸１５は、図４に示されるように、第１の片１１に形成された穴１１Ａから挿入される第１の軸部１５Ａと、第２の刃片１２の穴１２Ａから挿入される第２の軸部１５Ｂとからなり、第１の軸部１５Ａを第２の軸部１５Ｂ内にねじ込むことで相互に連結できる構成となっている。また、第１の軸部１５のヘッド１５Ｃの厚みは、第１の片１１に形成された凹部２９の深さに対応しており、これによって、操作部材１７を装着したときに、連結軸１５の端面すなわちヘッド１５Ｃの外面がベース２５の外面に略一致する。なお、前記ばね部材２７は、コイル部２７Ａが連結軸１５の軸回りに位置することとなる。
【００２１】
次に前記第１の実施例に係る作用について説明する。はさみ１０を組み立てた状態では、図２に拡大して示されるように、操作部材１７を構成するベース２５が連結軸１５によって第１の刃片１１の外面側に装着され、ベース２５には、スライド部材２６が、図中左右方向に移動可能となる。そして、連結軸１５回りに配置されたばね部材２７は、可動側ばね部２７Ｂがベース２５の長溝３８内に位置する一方、固定側ばね部２７Ｃの先端が第２の刃片１２の穴５０に挿入された位置にある。
【００２２】
図２に示されるように、スライド部材２６を最も右側に移動させた状態では、指当て部４１の下面側に設けられた各切欠溝４５,４６内に突条２０Ａ,２１Ａが受容された位置となり、従って、この状態では、刃片１１,１２の開閉が規制された状態となる。この際、スライド板４０の突軸４２は、スロット穴３２の最も右側に位置し、表示手段を構成する三個の凸部３４の最も右側に対応した位置となる。ここで、はさみ１０を通常使用したい場合には、指当て部４１を指先で押圧しながら図２中左側に移動すればよい。この移動によって、前記突軸４２が中間の凸部３４の位置に合わされると、図１５及び図１６に示されるように、切欠溝４６から突条２１Ａが抜け出した位置となり、刃片１１,１２を開閉動作させることが可能となる。
【００２３】
前記スライド部材２６を更に左側に移動させて突軸４２が最も左側に位置する凸部３４位置に合わされると、図１７及び図１８に示されるように、指当て部４１の切欠溝４５からも突条２０Ａが抜け出した位置を取る。このとき、操作部材１７全体は、ばね部材２７のばね力によって第２の刃片１２の延びる方向に沿うように回転するとともに、ばね力の強さに応じた分だけ刃片１１,１２の先端間が離間する状態に保たれる。従って、この状態で、刃片１１,１２を相対回転するように柄部１３,１４を開閉しようとすると、開き動作方向の力が軽減されることとなる。
【００２４】
[第２実施例]
次に、本発明の第２の実施例を図１９ないし図２１を参照しながら説明する。なお、以下の説明において、前記第１の実施例と同一若しくは同等の構成部分については、必要に応じて同一符号を用いるものとし、説明を省略若しくは簡略にする。
【００２５】
第２の実施例は、操作部材１７を構成するベース２５が、平面視略円弧状部６１と、この円弧状部６１の直線端面から延びるガイド部６２とにより構成される一方、スライド部材２６が、ガイド部６２を跨ぐように設けられて当該ガイド部６２に沿って移動可能に設けられたものである。ガイド部６２は、スライド部材２６の図１９中上下幅よりも小さく設定されており、当該ガイド部６２の下面（裏面）側には、第１の実施例で示したのと同様の長溝３８が形成され、この長溝３８内に可動側ばね部２７Ｂが受容されている。この一方、固定側ばね部２７Ｃは、ガイド部６２の外側に位置して先端が第２の刃片１２の穴５０に挿入されている。
【００２６】
前記スライド部材２６は、前記円弧状部６１の外側面（上面）と略面一となる上面部６５と、この上面部６５の図１９中上下両側に連なる側面部６６,６７とを備え、その横断面形状が下向きの略コ字状となるように形成されている。ここで、側面部６６は、その左側領域が切除された形状に設けられ、これにより、スライド部材２６が固定側ばね部２７Ｃと干渉することなく左右方向に移動できるようになっている。また、上面部６５には、表示手段を構成する窓穴６８が形成されている。この一方、ガイド部６２の上面には、図１９中左右方向に適宜な着色若しくは印刷が設けられており、スライド部材２６を左右方向に移動させたときに、窓穴６８を通じて色若しくは印刷面が表出されるようになっている。
【００２７】
なお、第２の実施例では、スライド部材２６が略コ字状に設けられているため、第１の実施例で示した切欠溝４５,４６設けることなく、スライド部材２６の図中右端下面側と突条２０Ａ,２１Ａとが係脱可能となる。
【００２８】
第２の実施例において、スライド部材２６が最も右側に位置するときには、図１９に示されるように、突条２０Ａ,２１Ａがスライド部材２６の右端下面側に位置して引っ掛かった状態となるため、刃片１１,１２の回転が規制された状態となる。
【００２９】
スライド部材２６を図１９の位置より左側に所定量移動させると、図２０に示されるように、突条２１Ａがスライド部材２６から外れるようになり、通常のはさみと同様の使用が可能となる。
【００３０】
スライド部材２６を更に左側に移動させて図２０に示されるように位置させたときに、突条２０Ａ,２１Ａが共にスライド部材２６から外れ、これによって、ばね部材２７のばね力に応じた分だけ刃片１１,１２が開いた状態となり、使用時の開き方向への動作を軽減することとなる。
【００３１】
なお、スライド部材２６を前記三つの位置で停止させた状態では、窓穴６８を通じて当該スライド部材２６の位置が表示されるようになる。表示態様としては例えば、赤、青、黄の色表示や、「閉」、「開」、「ばね」モード等の適宜な印刷表示が考えられる。
【００３２】
その他の構成は、実質的に、第１の実施例と略同様である。
【００３３】
【発明の効果】
以上説明したように、本発明によれば、前記操作部材の外側面が連結軸の一端面に略一致する厚みに設けられる構成としたから、操作部材の厚みを従来タイプよりも小さくして当該操作部材を薄型化することが可能となる。従って、厚みが小さくなった分、操作部材に不用意なる外力が与えられる可能性も少なくなり、従来のものよりも回転規制状態の安定性を確保することが期待できる。
【００３４】
また、前記操作部材をベース及びこれと相対移動するスライド部材とにより構成し、ベースの面内に連結軸の一端面を受容する凹部を設けて当該凹部にヘッド端部を受容させる構成としたから、操作領域が限定的なものとなり、いたずらによって回転規制状態を解除されてしまう虞を少なくすることが可能となる。しかも、ベースを連結軸に対して横方向に移動させる構成ではないため、当該移動のためのガイド溝をベース上面に設ける必要もなく、これをカバーするためのキャップの省略を可能として薄型化を実現することができる。
【００３５】
更に、前記ベースとスライド部材との間に、表示手段を設けた構成では、はさみの使用可否を目視にて容易に認識することも可能となる。また、表示手段としてベース又はスライド部材に形成された窓穴を設けた構成では、窓穴を通じた色や文字等によって使用可否を認識することができる。
【図面の簡単な説明】
【図１】実施例に係るはさみの全体構成を示す正面図。
【図２】図２の要部拡大正面図。
【図３】操作部材を構成するベースの拡大正面図。
【図４】ベース領域の分解断面図。
【図５】ベースの拡大背面図。
【図６】ベースの拡大底面図。
【図７】図５のＡ−Ａ線矢視断面図。
【図８】操作部材を構成するスライド部材の拡大正面図。
【図９】スライド部材の拡大底面図。
【図１０】スライド部材の拡大背面図。
【図１１】図８のＢ−Ｂ線矢視断面図。
【図１２】スライド部材の拡大右側面図。
【図１３】ベースとスライド部材との組み合わせ状態を示す拡大断面図。
【図１４】（Ａ）はばね部材の平面図、（Ｂ）は同正面図。
【図１５】通常使用状態に設定されたはさみの正面図。
【図１６】図１５の要部拡大正面図。
【図１７】刃片が開く方向にばね力が作用するはさみの正面図。
【図１８】図１７の要部拡大正面図。
【図１９】変形例を示す図２と同様の正面図。
【図２０】変形例を示す図１６と同様の正面図。
【図２１】変形例を示す図１８と同様の正面図。
【符号の説明】
１０  はさみ
１１  第１の刃片
１２  第２の刃片
１５  連結軸
１５Ｃ  ヘッド
１７  操作部材
２５  ベース
２６  スライド部材
２９  凹部
３４  凸部（表示手段）
４２  突軸（表示手段）
６８  窓部（表示手段）
【図１】
0003738658.tif 000002
【図２】
0003738658.tif 000003
【図３】
0003738658.tif 000004
【図４】
0003738658.tif 000005
【図５】
0003738658.tif 000006
【図６】
0003738658.tif 000007
【図７】
0003738658.tif 000008
【図８】
0003738658.tif 000009
【図９】
0003738658.tif 000010
【図１０】
0003738658.tif 000011
【図１１】
0003738658.tif 000012
【図１２】
0003738658.tif 000013
【図１３】
0003738658.tif 000014
【図１４】
0003738658.tif 000015
【図１５】
0003738658.tif 000016
【図１６】
0003738658.tif 000017
【図１７】
0003738658.tif 000018
【図１８】
0003738658.tif 000019
【図１９】
0003738658.tif 000020
【図２０】
0003738658.tif 000021
【図２１】
0003738658.tif 000022